(57)【要約】【課題】局部過熱箇所の温度上昇を抑えると共に内部静電気放電の発生を未然に防止可能な電力用変圧器およびその冷却方法を提供する。【解決手段】電力用変圧器１０は、冷却器１２、送出ポンプ１３および変圧器タンク１４を接続する配管１５のうち、送出ポンプ１３および変圧器タンク１４を接続する出口配管２１を途中で分岐させた分岐配管２２を設け、分岐配管２２を変圧器タンク１４の局部加熱発生箇所に接続する一方、出口配管２１には出口配管２１の変圧器タンク１４入口近傍に流量調整版２５を設けて、出口配管２１から変圧器タンク１４への過剰な絶縁・冷却媒体の流入を防止する一方、分岐配管２２からは、変圧器タンク１４の局部加熱発生箇所へ絶縁・冷却媒体を流入させて局部加熱発生箇所を直接冷却することで、局部加熱発生箇所の温度上昇を抑えると共に内部静電気放電の発生を未然に防止する。【選択図】　図３
2004039850.tif 000002
【特許請求の範囲】
【請求項１】
巻線を有する変圧器本体を収納し、絶縁・冷却媒体で内部が満たされる変圧器タンクと、前記絶縁・冷却媒体を冷却する媒体冷却手段と、前記絶縁・冷却媒体を強制的に送り出す媒体送出手段と、前記変圧器タンク、媒体冷却手段および媒体送出手段を前記絶縁・冷却媒体が循環可能に接続される配管とを備える電力用変圧器において、
前記配管のうち、前記媒体送出手段と前記変圧器タンクとを接続する出口配管に分岐路として分岐配管を設け、この分岐配管を前記変圧器タンク壁面の局部過熱発生箇所に配して前記局部過熱発生箇所を効率良く冷却可能に構成したことを特徴とする電力用変圧器。
【請求項２】
前記変圧器タンクは、ブッシングポケットを有し、前記分岐配管を前記ブッシングポケットに配したことを特徴とする請求項１記載の電力用変圧器。
【請求項３】
前記出口配管は、前記変圧器タンク入口近傍に前記絶縁・冷却媒体が前記変圧器タンク内部へ流入する量を調整して、過剰な流入を防止する媒体流入量調整手段を備え、
この媒体流入量調整手段は、前記絶縁・冷却媒体を必要量のみ前記変圧器タンク内部に導くことで、前記絶縁・冷却媒体と前記巻線内部との摩擦により生じる帯電を未然に防止しつつ、前記変圧器タンク壁面の局部過熱発生箇所を効率良く冷却することを可能に構成したことを特徴とする請求項１記載の電力用変圧器。
【請求項４】
絶縁・冷却媒体を冷却する媒体冷却ステップと、前記絶縁・冷却媒体が変圧器タンク、媒体冷却手段および媒体送出手段を強制的に循環するように前記絶縁・冷却媒体を送出する媒体送出ステップと、変圧器タンク、媒体冷却手段および媒体送出手段を循環させて冷却する変圧器冷却ステップとを備える電力用変圧器の冷却方法において、
前記変圧器冷却ステップは、出口配管から前記変圧器タンクに流入する前記絶縁・冷却媒体を前記変圧器本体近傍に流入させて変圧器本体が有する巻線内部を冷却する巻線内部冷却ステップと、
分岐配管から前記変圧器タンクに流入する前記絶縁・冷却媒体により前記変圧器タンク壁面の局部過熱発生箇所を効率良く冷却する局部加熱箇所冷却ステップとを備えることを特徴とする電力用変圧器の冷却方法。
【請求項５】
前記局部加熱箇所冷却ステップは、分岐配管からブッシングポケットに流入する前記絶縁・冷却媒体により効率良く冷却することを特徴とする請求項４記載の電力用変圧器の冷却方法。
【請求項６】
前記変圧器冷却ステップは、前記絶縁・冷却媒体が前記変圧器タンク内部へ流入する量を調整して、過剰な流入を防止する媒体流入量調整ステップを備え、
この媒体流入量調整ステップで前記絶縁・冷却媒体を必要量のみ前記変圧器タンク内部に導くことにより、前記絶縁・冷却媒体と巻線内部との摩擦により生じる帯電を未然に防止することを特徴とする請求項４記載の電力用変圧器の冷却方法。
【発明の詳細な説明】
【０００１】
【発明の属する技術分野】
本発明は、変圧器に係り、特に、局部加熱の発生および静電気の帯電現象を抑制した電力用変圧器およびその冷却方法に関する。
【０００２】
【従来の技術】
図４に従来の電力用変圧器１の概観図を示す。
【０００３】
図４に示される電力用変圧器１は、絶縁および冷却を行う絶縁・冷却媒体としての絶縁油を蓄積する変圧器タンク２と、絶縁油を冷却する媒体冷却手段としての冷却器３と、冷却された絶縁油を変圧器タンク２に供給する絶縁・冷却媒体送出手段としての送油ポンプ４とを備える。変圧器タンク２は、ブッシング５と、ブッシング５の近傍を冷却するために冷却媒体を蓄積するブッシングポケット６とを備える。
【０００４】
電力用変圧器１は、冷却器３、送油ポンプ４、変圧器タンク２およびブッシングポケット５が絶縁・冷却媒体を供給する配管７で接続され、絶縁・冷却媒体を循環可能に構成される。
【０００５】
電力用変圧器１は、変圧器本体の巻線、すなわち、コイルリードに流れる電流により、コイルリード周辺の変圧器タンク２の壁面に渦電流が生じて熱を発生する。このため、電力用変圧器１は、生じた熱で加熱された電力用変圧器１を冷却するために、絶縁・冷却媒体を循環させている。
【０００６】
電力用変圧器１における絶縁油の循環は、まず、冷却器３で冷却される。そして、冷却された絶縁油が送油ポンプ４によって変圧器タンク２に供給され、変圧器タンク２の絶縁油がブッシングポケット６に供給される。ブッシングポケット６に変圧器タンク２から絶縁油の供給があると、ブッシングポケット６に蓄積された絶縁油は冷却器３に送られ、絶縁油循環の１サイクルが完了する。電力用変圧器１の絶縁油循環サイクル、すなわち、冷却器３により冷却された絶縁油が冷却器３、送油ポンプ４、変圧器タンク２およびブッシングポケット６を循環する循環サイクルを繰り返し実行することで、電力用変圧器１は冷却される。
【０００７】
従来の電力用変圧器１では、磁束が変圧器タンク２の壁面と鎖交することから局部的過熱が起こり得る。このため、局部過熱発生箇所の変圧器タンク壁２内面に磁気シールドを貼ったり、タンク板を非磁鋼材にしたりして渦電流発生を抑えるような構造にするとか、絶縁及び冷却媒体が局部過熱部に淀まないように循環させて温度上昇を抑える構造にするというような対策が一般的にとられている。
【０００８】
また、電力用変圧器の巻線内部に絶縁及び冷却媒体が大量に流れた場合、絶縁及び冷却媒体と、電力用変圧器を構成する絶縁物との間に起こる摩擦により、帯電現象が起こる。帯電現象が伸展すると、絶縁物に電荷が蓄積され、絶縁物の電荷量の限界を超えた場合静電気放電が起こる。この静電気放電がきっかけとなり、巻線自体も絶縁破壊に至ることが考えられる。このため、従来の電力用変圧器において、循環している絶縁及び冷却媒体が必要以上に流れないように、媒体流入量調整手段として制御弁が取り付けられている。
【０００９】
【発明が解決しようとする課題】
しかしながら、従来の電力用変圧器１は、容量または構造によっては、例えば、大容量変圧器では、変圧器タンク２の壁面からの絶縁距離が短いうえ、低圧側のブッシングポケット６は、低圧側コイルリードに流れる電流が大きいことから変圧器タンク２の壁面に渦電流が生じ、加熱発生が顕著であった。また、低圧側のブッシングポケット６は、変圧器タンク２の上部に設けられているため、絶縁油が淀み、冷却効率が低下してしまい、大容量変圧器における低圧側のブッシングポケット６近傍では、冷却対策が十分な効果を上げるに至っていない。
【００１０】
近年の電力用変圧器１は大容量化およびコストダウン化に伴い、コイルリードと変圧器タンク２の壁面との距離縮小が進み、局部加熱発生はより顕著になっており、新たな局部過熱対策が望まれている。局部過熱は、過熱の程度によっては周辺の塗装やガスケットの劣化を速め、更には塗装剥離や漏油などの問題を発生させる可能性がある。
【００１１】
また、電力用変圧器１は、局部過熱対策の他にも絶縁・冷却媒体の大量流入に伴う、電力用変圧器１内の帯電現象の防止対策も絶縁破壊防止の観点から重要であり、局部加熱対策と併せて巻線内部への過度な絶縁・冷却媒体流入量の適切な制御も行う必要がある。
【００１２】
本発明は、上述した事情を考慮してなされたものであり、局部過熱箇所の温度上昇を抑えると共に内部静電気放電の発生を未然に防止可能な電力用変圧器およびその冷却方法を提供することを目的とする。
【００１３】
また、本発明の他の目的は、局部加熱箇所周辺の塗装およびガスケットの劣化により生じる塗装剥離や漏油等の問題を局部加熱を抑え周辺の塗装およびガスケットの劣化の改善を図った電力用変圧器およびその冷却方法を提供するにある。
【００１４】
【課題を解決するための手段】
本発明に係る電力用変圧器は、上述した課題を解決するために、請求項１に記載したように、巻線を有する変圧器本体を収納し、絶縁・冷却媒体で内部が満たされる変圧器タンクと、前記絶縁・冷却媒体を冷却する媒体冷却手段と、前記絶縁・冷却媒体を強制的に送り出す媒体送出手段と、前記変圧器タンク、媒体冷却手段および媒体送出手段を前記絶縁・冷却媒体が循環可能に接続される配管とを備える電力用変圧器において、前記媒体送出手段と前記変圧器タンクとを接続する出口配管に分岐路として分岐配管を設け、この分岐配管を前記変圧器タンク壁面の局部過熱発生箇所に配して前記局部過熱発生箇所を効率良く冷却可能に構成したことを特徴とする。
【００１５】
上述した課題を解決するために、本発明に係る電力用変圧器は、請求項２に記載したように、前記変圧器タンクが、ブッシングポケットを有し、前記分岐配管を前記ブッシングポケットに配したことを特徴とする。
【００１６】
また、上述した課題を解決するために、本発明に係る電力用変圧器は、請求項３に記載したように、前記出口配管が、前記変圧器タンク入口近傍に前記絶縁・冷却媒体が前記変圧器タンク内部へ流入する量を調整して、過剰な流入を防止する媒体流入量調整手段を備え、この媒体流入量調整手段は、前記絶縁・冷却媒体を必要量のみ前記変圧器タンク内部に導くことで、前記絶縁・冷却媒体と前記巻線内部との摩擦により生じる帯電を未然に防止しつつ、前記変圧器タンク壁面の局部過熱発生箇所を効率良く冷却することを可能に構成したことを特徴とする。
【００１７】
本発明に係る電力用変圧器の冷却方法は、上述した課題を解決するために、請求項４に記載したように、絶縁・冷却媒体を冷却する媒体冷却ステップと、前記絶縁・冷却媒体が変圧器タンク、媒体冷却手段および媒体送出手段を強制的に循環するように前記絶縁・冷却媒体を送出する媒体送出ステップと、変圧器タンク、媒体冷却手段および媒体送出手段を循環させて冷却する変圧器冷却ステップとを備える電力用変圧器の冷却方法において、前記変圧器冷却ステップは、出口配管から前記変圧器タンクに流入する前記絶縁・冷却媒体を前記変圧器本体近傍に流入させて変圧器本体が有する巻線内部を冷却する巻線内部冷却ステップと、分岐配管から前記変圧器タンクに流入する前記絶縁・冷却媒体により前記変圧器タンク壁面の局部過熱発生箇所を効率良く冷却する局部加熱箇所冷却ステップとを備えることを特徴とする。
【００１８】
上述した課題を解決するために、本発明に係る電力用変圧器の冷却方法は、請求項５に記載したように、前記局部加熱箇所冷却ステップが、分岐配管からブッシングポケットに流入する前記絶縁・冷却媒体により効率良く冷却することを特徴とする。
【００１９】
上述した課題を解決するために、本発明に係る電力用変圧器の冷却方法は、請求項６に記載したように、前記変圧器冷却ステップが、前記絶縁・冷却媒体が前記変圧器タンク内部へ流入する量を調整して、過剰な流入を防止する媒体流入量調整ステップを備え、この媒体流入量調整ステップで前記絶縁・冷却媒体を必要量のみ前記変圧器タンク内部に導くことにより、前記絶縁・冷却媒体と巻線内部との摩擦により生じる帯電を未然に防止することを特徴とする。
【００２０】
【発明実施の形態】
以下、本発明に係る電力用変圧器およびその方法の実施の形態について添付の図面を参照して説明する。
【００２１】
［第１の実施形態］
図１に本発明の第１の実施形態に係る電力用変圧器１０の概観図を示す。
【００２２】
図１に示される電力用変圧器１０は、電力用変圧器１０の絶縁・冷却を行う絶縁・冷却媒体としての絶縁油を冷却する媒体冷却手段としての冷却器１２と、冷却された絶縁・冷却媒体を送出する媒体送出手段としての送出ポンプ１３と、巻線を有する変圧器本体を収納し、送出ポンプ１３からの絶縁・冷却媒体を蓄積して、電力用変圧器１０の絶縁・冷却を行う変圧器タンク１４とを具備し、冷却器１２、送出ポンプ１３および変圧器タンク１４が絶縁油を循環する配管１５で接続される。
【００２３】
変圧器タンク１４は、１次側および２次側の電線を導入する電線導入部に設けられたブッシング１８と、ブッシング１８近傍に設けられ、絶縁・冷却媒体としての絶縁油を蓄積するブッシングポケット１９とを備える。また、電力用変圧器１０に具備される冷却器１２、送出ポンプ１３および変圧器タンク１４を接続する配管１５のうち、送出ポンプ１３および変圧器タンク１４を接続する出口配管２１は、途中で分岐し、分岐した側の分岐配管２２は、変圧器タンク１４の局部加熱の発生箇所に接続される。また、他方の出口配管２１は、変圧器本体近傍の変圧器タンク１４壁面に接続される。
【００２４】
図１に示される電力用変圧器１０は、絶縁・冷却媒体としての絶縁油を冷却する媒体冷却ステップと、絶縁油を送出する媒体送出ステップと、変圧器タンク１４、冷却器１２および送出ポンプ１３を循環させる電力用変圧器１０を冷却する変圧器冷却ステップとを実行する。電力用変圧器１０は、絶縁油を２つの循環ルートで循環させることで、媒体冷却ステップ、媒体送出ステップおよび変圧器冷却ステップを実行している。
【００２５】
電力用変圧器１０において、絶縁油が循環する２つの循環ルートは、冷却器１２→送出ポンプ１３→出口配管２１→変圧器タンク１４→ブッシングポケット１９→冷却器１２の循環ルート（以下、第１の循環ルートとする）と、冷却器１２→送出ポンプ１３→出口配管２１→分岐配管２２→変圧器タンク１４→ブッシングポケット１９→冷却器１２の循環ルート（以下、第２の循環ルートとする）とがある。
【００２６】
第１の循環ルートは、従来の電力用変圧器１で採用されている循環ルートと同じであり、絶縁油が第１の循環ルートを循環することによって、冷却器１２で媒体冷却ステップがなされ、送出ポンプ１３で媒体送出ステップがなされ、媒体送出ステップで送出した絶縁油が循環しながら電力用変圧器１０を冷却する変圧器冷却ステップを実行している。第１の循環ルートでなされる変圧器冷却ステップは、出口配管２１から変圧器タンク１４に流入する絶縁油を変圧器本体近傍に流入させて変圧器本体が有する巻線内部を冷却する巻線内部冷却ステップである。
【００２７】
第２の循環ルートは、本発明独自のものであり、絶縁油が第２の循環ルートを循環することによって、冷却器１２で媒体冷却ステップがなされ、送出ポンプ１３で媒体送出ステップがなされ、媒体送出ステップで送出した絶縁油が循環しながら電力用変圧器１０を冷却する変圧器冷却ステップを実行している。第２の循環ルートでなされる変圧器冷却ステップは、分岐配管２２から変圧器タンク１４の局部加熱発生箇所に絶縁油を流入させて局部過熱発生箇所を効率良く冷却する局部加熱箇所冷却ステップである。
【００２８】
電力用変圧器１０は、第１の循環ルートおよび第２の循環ルートで絶縁油を循環させることで、変圧器タンク１４に収納される変圧器本体の巻線内部を絶縁・冷却すると共に、変圧器タンク１４の局部加熱発生箇所を絶縁・冷却媒体としての絶縁油で直接に冷却することができる。従って、電力用変圧器１０内部の温度上昇を抑えつつ、変圧器タンク１４の局部加熱発生箇所の温度上昇を抑制することが可能となる。
【００２９】
本発明の第１の実施形態によれば、電力用変圧器１０が変圧器タンク１４の局部加熱発生箇所へ絶縁・冷却媒体としての絶縁油を流入させる分岐配管２２を備えることで、電力用変圧器１０内部の温度上昇を抑えつつ、局部過熱箇所に直接に絶縁油を流入させることが可能となるので、変圧器タンク１４の局部加熱発生箇所の温度上昇を抑制することができる。
【００３０】
［第２の実施形態］
図２に本発明の第２の実施形態に係る電力用変圧器１０Ａの概観図を示す。
【００３１】
図２に示される電力用変圧器１０Ａは、図１に示される電力用変圧器１０の分岐配管２２が変圧器タンク１４と接続される箇所が局部加熱発生箇所ではなく、ブッシングポケット１９と接続される点以外は異ならない。従って、異ならない箇所については、同じ符号を付して、説明を省略する。
【００３２】
図２に示される電力用変圧器１０Ａは、冷却器１２と、送出ポンプ１３と、ブッシング１８およびブッシングポケット１９を備える変圧器タンク１４とを具備し、冷却器１２、送出ポンプ１３および変圧器タンク１４が絶縁油を循環する配管１５で接続される。
【００３３】
また、電力用変圧器１０Ａに具備される冷却器１２、送出ポンプ１３および変圧器タンク１４を接続する配管１５のうち、送出ポンプ１３および変圧器タンク１４を接続する出口配管２１は、途中で分岐し、分岐した側の分岐配管２２は、変圧器タンク１４の局部加熱の発生箇所の１つである低圧側のブッシングポケット１９に接続される。また、他方の出口配管２１は、変圧器本体近傍の変圧器タンク１４壁面に接続される。
【００３４】
図２に示される電力用変圧器１０Ａは、媒体冷却ステップと、媒体送出ステップと、変圧器冷却ステップとを実行し、絶縁油を２つの循環ルートで循環させることで、媒体冷却ステップ、媒体送出ステップおよび変圧器冷却ステップを実行する点は、図１に示される電力用変圧器１０と同様である。但し、電力用変圧器１０Ａでは、絶縁油が循環する２つの循環ルートが若干異なっている。
【００３５】
電力用変圧器１０Ａにおいて、絶縁油が循環する一方の循環ルートは、第１の循環ルートであり、他方の循環ルートは、冷却器１２→送出ポンプ１３→出口配管２１→分岐配管２２→ブッシングポケット１９→変圧器タンク１４→ブッシングポケット１９→冷却器１２の循環ルート（以下、第３の循環ルートとする）である。
【００３６】
電力用変圧器１０Ａで絶縁油が第３の循環ルートは、本実施形態独自のものであり、第３の循環ルートを絶縁油が循環することでなされる変圧器冷却ステップは、分岐配管２２から変圧器タンク１４の局部加熱の発生箇所の１つであるブッシングポケット１９近傍に絶縁油を流入させて局部過熱発生箇所を効率良く冷却する局部加熱箇所冷却ステップである。
【００３７】
電力用変圧器１０Ａは、第１の循環ルートおよび第３の循環ルートで絶縁油を循環させることで、変圧器タンク１４に収納される変圧器本体の巻線内部を絶縁・冷却すると共に、局部加熱の発生が危惧されるブッシングポケット１９近傍を冷却された絶縁油で直接に冷却することができる。従って、電力用変圧器１０内部の温度上昇を抑えつつ、局部加熱発生が危惧されるブッシングポケット１９近傍の温度上昇を抑制することが可能となる。
【００３８】
本発明の第２の実施形態によれば、電力用変圧器１０Ａが変圧器タンク１４の局部加熱発生箇所の１つであり、絶縁油が淀みやすい箇所でもあるブッシングポケット１９に絶縁油を流入させる分岐配管２２を備えることで、電力用変圧器１０Ａ内部の温度上昇を抑えつつ、ブッシュングポケット１９に冷却された絶縁油を直接流入させることが可能となるので、ブッシュングポケット１９近傍で生じる局部加熱箇所の温度上昇を抑制することができる。また、ブッシュングポケット１９近傍で生じる局部加熱箇所の温度上昇を効率良く抑制するには、分岐配管２２を大電流の流れ、特に局部加熱が生じ易い低圧側のブッシュングポケット１９に接続すると良い。
【００３９】
尚、図２に示される電力用変圧器１０Ａは、分岐配管２２を低圧側のブッシュングポケット１９に設けた例を示しているが、高圧側のブッシングポケット１９に接続しても良い。
【００４０】
［第３の実施形態］
図３に本発明の第３の実施形態に係る電力用変圧器１０Ｂの概観図を示す。
【００４１】
図３に示される電力用変圧器１０Ｂは、図１に示される電力用変圧器１０の出口配管２１において、変圧器タンク１４と接続される箇所近傍に媒体流入量調整手段を設けた点以外は異ならない。従って、異ならない箇所については、同じ符号を付して、説明を省略する。
【００４２】
図３に示される電力用変圧器１０Ｂは、冷却器１２と、送出ポンプ１３と、ブッシング１８およびブッシングポケット１９を備える変圧器タンク１４とを具備し、冷却器１２、送出ポンプ１３および変圧器タンク１４が絶縁油を循環する配管１５で接続される。
【００４３】
また、電力用変圧器１０Ｂに具備される冷却器１２、送出ポンプ１３および変圧器タンク１４を接続する配管１５のうち、送出ポンプ１３および変圧器タンク１４を接続する出口配管２１は、途中で分岐し、分岐した側の分岐配管２２は、変圧器タンク１４の局部加熱の発生箇所に接続される。また、他方の出口配管２１は、変圧器本体近傍の変圧器タンク１４壁面に接続され、変圧器タンク１４の入口近傍には、媒体流入量調整手段としての流入量調整板２５が設けられる。
【００４４】
図３に示される電力用変圧器１０Ｂは、絶縁・冷却媒体としての絶縁油を冷却する媒体冷却ステップと、絶縁油を送出する媒体送出ステップと、変圧器タンク１４、冷却器１２および送出ポンプ１３を循環させる電力用変圧器１０Ｂを冷却する変圧器冷却ステップとを実行する。電力用変圧器１０Ｂは、絶縁油を第１の循環ルートおよび第２の循環ルートの２つの循環ルートで循環させることで、媒体冷却ステップ、媒体送出ステップおよび変圧器冷却ステップを実行する点は、図１に示される電力用変圧器１０と同様である。但し、電力用変圧器１０Ｂでは、絶縁油が循環する２つの循環ルートのうち、第１の循環ルートにおいて変圧器タンク１４に流入する絶縁油の量を調整できる点で若干異なっている。
【００４５】
第１の循環ルートにおいて、送油ポンプ１３と変圧器タンク１４とを接続する出口配管２１の変圧器タンク１４の入口近傍に流入量調整板２５を設け、変圧器タンク１４内に流入する絶縁油の流入量を調整して、変圧器タンク１４内に収納された変圧器本体の巻線内部に必要量以上の絶縁油が供給されないようにする。一方、分岐した分岐配管２２は、局部加熱発生箇所に取り付け、冷却された絶縁油を直接供給する。これにより、絶縁・冷却媒体である絶縁油と絶縁物の摩擦による静電気放電を防止しつつ、局部過熱箇所の温度上昇を抑制することが可能となる。
【００４６】
本発明の第３実施形態によれば、電力用変圧器１０Ｂは、出口配管２１から分岐する分岐配管２２を設け、出口配管２１の変圧器タンク１４入口近傍に流入量調整板２５を備えることで、変圧器タンク１４内に収納された変圧器本体の巻線内部を循環する絶縁油の循環量の調整を可能とし、絶縁油と変圧器本体が有する絶縁物との摩擦により生じる帯電現象に起因した静電気放電を防止する一方、絶縁油の余剰分を変圧器タンク１４の局部過熱発生箇所に低温の絶縁・冷却媒体を直接流入させることを可能とし、局部過熱発生箇所の温度上昇を抑制することが可能となる。
【００４７】
尚、本実施形態では、電力用変圧器１０Ｂは、出口配管２１の変圧器タンク１４入口近傍に流入量調整板２５を備えているが、必ずしも流入量調整板２５に限定されない。流入量調整板２５の代わりに、例えば、制御弁等の流量制御が可能な手段を適用しても良い。
【００４８】
以上、本発明に係る電力用変圧器およびその冷却方法は、分岐配管２２を設けて、変圧器タンクの局部加熱発生箇所に絶縁油を流入させて直接冷却したり、絶縁油が淀みやすく、変圧器タンク１４の局部加熱発生箇所でもあるブッシング１８近傍のブッシングポケット１９に絶縁油を流入させて直接冷却したり、出口配管２１の変圧器タンク１４入口近傍に流入量調整板２５を備えて絶縁油の流入量を調整可能にすることで、局部過熱発生箇所の温度上昇を抑えたり、電力用変圧器内部で発生する静電気放電を防止することが可能な電力用変圧器およびその冷却方法を提供することができる。
【００４９】
尚、本発明に係る電力用変圧器およびその冷却方法において、電力用変圧器に設けられる出口配管２１からの分岐配管２２の本数は１本に限定されない。複数本有していても良い。
【００５０】
また、本発明に係る電力用変圧器およびその冷却方法は、個々の実施形態に限定されるものではなく、例えば、第２の実施形態と第３の実施形態を組み合わせた電力用変圧器およびその冷却方法等の個々の実施形態を組み合わせて形成される電力用変圧器およびその冷却方法も包含する。
【００５１】
【発明の効果】
本発明に係る電力用変圧器およびその冷却方法によれば、電力用変圧器に分岐配管を設けて、変圧器タンクの局部加熱発生箇所に絶縁・冷却媒体を流入させて直接冷却することで、局部過熱発生箇所の温度上昇を抑えることが可能な電力用変圧器およびその冷却方法を提供することができる。また、変圧器タンクと接続される出口配管において、変圧器タンク入口近傍に媒体流入量調整手段を設け、出口配管から変圧器タンク内に流入する絶縁・冷却媒体の量を調整可能とし、残りを分岐配管側に導くように構成することで、局部過熱発生箇所での温度上昇を抑えると共に内部静電気放電の発生を未然に防止可能な電力用変圧器およびその冷却方法を提供することができる。さらに、局部過熱発生箇所の温度上昇を抑えることが可能なため、局部加熱発生箇所周辺で発生する塗装およびガスケットの劣化に起因した塗装剥離や漏油等の問題がより発生しにくい電力用変圧器およびその冷却方法を提供することができる。
【図面の簡単な説明】
【図１】本発明の第１実施形態に係る電力用変圧器およびその冷却方法を適用した電力用変圧器の概観図。
【図２】本発明の第２実施形態に係る電力用変圧器およびその冷却方法を適用した電力用変圧器の概観図。
【図３】本発明の第３実施形態に係る電力用変圧器およびその冷却方法を適用した電力用変圧器の概観図。
【図４】従来の電力用変圧器およびその冷却方法を適用した電力用変圧器の概観図。
【符号の説明】
１０，１０Ａ，１０Ｂ　電力用変圧器
１２　冷却器（媒体冷却手段）
１３　送油ポンプ（媒体送出手段）
１４　変圧器タンク
１５　配管
１８　ブッシング
１９　ブッシングポケット
２１　出口配管
２２　分岐配管
２５　流入量調整板（媒体流入量調整手段）
【図１】
2004039850.tif 000003
【図２】
2004039850.tif 000004
【図３】
2004039850.tif 000005
【図４】
2004039850.tif 000006